(57)【要約】【課題】  省エネLED式の棒状発光体と二面型、四面型バス停留所標識体と発光型表示体を提供する。【解決手段】両端面以外の外面に細長菱形状の線状溝群を、前記両端面の近傍から略順次増大し、等分中間点で最大の刻設溝量になる線状溝群を刻設した透明性棒状体の前記各両端面にLEDを対向配置したLED式棒状発光体であり、この棒状発光体は、前記線状溝群により３６０度周界に均一に光を放つ、LED少数使用の低コストな長寿命発光体であり、この棒状発光体を電源回路と共に主に透光面材で囲む空間内に配置し、前記透光面材に、描画しまたは描画したフィルムを配置したLED式のバス停留所標識体である。この発光体使用のLED式二面型、四面型バス停留所標識柱は、表示各面が均一輝度であり、省エネかつメンテナンスが簡易である。【選択図】  図２
2010212140.tif 000002
【特許請求の範囲】
【請求項１】
細長物体の両端面以外の外面および内面の部分に選択的に、かつ前記両端面の近傍から略順次増大し、等分中間点で最大の刻設溝量になる細長菱形状に視認される線状溝群を刻設した透明性棒状体の単一または複数並置の棒状体であり、前記各両端面にLEDを対向配置したことを特徴とするLED式棒状発光体。
【請求項２】
請求項１に記載のLED式棒状発光体を電源回路と共に主に透光面材で囲む空間内に配置し、前記透光面材に描画しまたは描画したフィルムを配置したことを特徴とするLED式のバス停留所標識柱と発光型表示体。
【発明の詳細な説明】
【技術分野】
【０００１】
本発明は、LED式棒状発光体およびこれを応用した道路に設置するバス停留所の省エネ二面型、四面型LED式標識柱に関するものである。
【背景技術】
【０００２】
バス停留所の二面型、四面型標識柱の発光源に蛍光灯が使用されたおり、蛍光灯の交換頻度の低減と省エネ性の改善が求められていた。
【特許文献１】特開２００５−２６６０２４
【発明の開示】
【発明が解決しようとする課題】
【０００３】
交通関係の標識体、特に四面に表示面のあるバス停留所四面型標識柱は、その夜間照明発光体が内部設置の蛍光灯であり、表示面に明るさのムラがあり、また蛍光灯の耐用期間が短く、おおよそ一年毎に交換し、廃棄物としている。これらの不具合を解決しかつ省エネルギーを図ったLED式二面型、四面型バス停留所標識柱と発光型表示体を提供する。
【課題を解決するための手段】
【０００４】
本発明は、両端面以外の外面および内面の部分に選択的に、かつ両端面の近傍から略順次増大し等分中間点で最大の刻設溝量になる細長菱形状の線状溝群を刻設した透明性棒状体の単一または複数並置の各棒状体の前記各両端面にLEDを対向配置したLED式棒状発光体である。
【０００５】
本発明は、前記LED式棒状発光体を電源回路と共に主に透光面材で囲む空間内に配置し、前記透光面材に、描像しまたは描像したフィルムを配置したLED式二面型、四面型バス停留所標識柱と発光型表示体である。
【発明の効果】
【０００６】
LED式棒状発光体は、側面に選択的に刻設した線状溝群により３６０度周界に略均一に光を放つ、少数使用LEDの低コストの発光体である。
【０００７】
LED式二面型、四面型バス停留所標識柱はLED式棒状発光体を使用し表示各面の均一輝度の、超寿命ゆえメンテナンスが簡易である。
【発明を実施するための最良の形態】
【０００８】
本発明のLED式棒状発光体１およびこれを使用するLED式四面型バス停留所標識柱２の実施形態を、図１、２を参照して説明する。
【０００９】
LED式棒状発光体１は、導光材としての細長矩形アクリル板３の両面にその長辺に平行かつ両短辺端面の近傍を両端点とする最長の線状溝４とこれの両側に平行の順次短い線状溝をレーザー加工刻設し、細長菱形状に視認される線状溝群５複数を形成し、この溝群を有する前記矩形板の前記端面に基板付きLED６複数を対向配置してLED式細長棒状発光体１を構成する。
【００１０】
LEDを点灯すると、光はアクリル板内を進行中に前記細長菱形状の線状溝群で反射し、アクリル板外へ拡散され肉眼に輝いて認識され、反射部分としての線状溝の本数が、両端面近傍から等分中間点までグラデーション状に順次増加するので反射光量も増加し、LEDから最も離れた長手方向の等分中間点での拡散光の低下が少なく、細長アクリル板全体で略
均一の輝度を発現する。長辺両端面に光拡散材を添付して棒状発光体の全周方向の輝度均一化を図るのもよい。
【００１１】
なお、前記LED式発光体の断面形状は矩形に限定されず、円、多角形、ループ状、さらには前記発光体の組合わせによる任意の形状断面もよく、全側面および内面つまり前記両端面以外の表面に選択的に前記細長菱形状の線状溝群を刻設し、また、これら棒状発光体複数を並置した複合発光体もよく、また、前記棒状発光体の長手方向等分中間点で切断し、
その断面に反射材を配した半切棒状発光体もよい。さらに、これら棒状発光体を長手方向に有孔放熱板を挟みかつ前記アクリル板相互をアクリル接合材で連結する延伸棒状発光体もよい。
【００１２】
LED式四面型バス停留所標識柱２は、矩形断面の前記細長棒状発光体を内部空間に配置する直方体状表示部７と設置用支持体８を主な構成部材とする。
詳しくは、図２に示す、標識柱２のLED式棒状発光体１はその電源回路とともに、主に枠材９と透光プラスチック面材１０と上下の面材１１でなる前記直方体状表示部７の上下の前記面材間に配置固定される。
直方体状の表示体７、例えばバス停留所標識柱２の場合、四稜線部である枠材９と上下の面材１１a、１１ｂを除いた四周面に表示面となる透光プラスチック面材１０を取り付、面材１１ｂはその下に設置用の支持体8に接合されて形成した直方体表示部7内に、上下面材１１a、１１ｂの中心部付設の接合片１2に前記棒状発光体1をねじ留めして設置し、前記透光面材に、図示してないが、文字や図形を描画しまたは描画したフィルムを配置することにより、LED式発光体による四面型バス停留所標識柱2を構成する。LED式発光体ゆえ省エネルギーであり保守も簡易である。
なお、上下面材１１a、１１ｂはLED６の基板に密接しLED発熱の放熱体を兼ねている。また、対向二面に不透光面材を配置した二面型バス停留所標識柱もよい。
【００１３】
前記バス停留所標識柱は一般の発光型表示体に使用してもよい。
また、標識体の表示事項の表示面に、携帯電話で読み取る、時刻表、経路図、災害時の非難場所、ＡＥＤをインプットしたQRコード板の表示面取り付け、また夜間にバス停留所標識柱の所在を明示するLED断続発光装置、LED発光停止事故を管理者に知らせる発光停止通報装置、停留所へのバス接近を運転手の携帯電話操作により数分前から知らせるLED灯断続発光告知装置、蓄光剤標記の案内表示部の標識体に付設による多機能のバス停留所標識柱とするのもよい。
【図面の簡単な説明】
【００１４】
【図１】本発明のバス停留所標識体用のLED式棒状発光体の部分平面図である。
【図２】本発明のバス停留所標識体の縦部分断面図である。
【符号の説明】
【００１５】
１  LED式棒状発光体、  
２  バス停留所標識柱、    
３  アクリル板
４  線状溝、                      
５  線状溝群、      
６  LED                                
７  直方体状表示部、      
８  支持体
９  透光面材、        
１０  枠材
１１a  上面材、１１ｂ  下面材        
１２  接合片、          
【図１】
2010212140.tif 000003
【図２】
2010212140.tif 000004